(57)【特許請求の範囲】
【請求項１】
脚がコンベアの吊り下げフックに吊り下げられた屠畜動物である家禽（１）であって前記家禽から総排出腔が取り除かれた後に開口部が形成された家禽（１）を切開する方法であって、
実質的に前記家禽の第１の方向に伸び、前記総排出腔（７）の開口部から離れている第１の切開（９）を前記家禽の皮膚に対して行うステップを含み、
前記第１の切開（９）につながり、前記第１の切開に対して角度を付けて伸びる第２の切開（８）を前記家禽の皮膚に行うステップを含むことを特徴とする、方法。
【請求項２】
前記第１の切開（９）は前記家禽（１）の腹部側（３）で実質的に横平面に伸びる、請求項１に記載の方法。
【請求項３】
前記第２の切開（８）は前記家禽（１）の腹部側（３）で実質的に中央平面に伸びる、請求項１または２に記載の方法。
【請求項４】
前記第１または第２の切開（９、８）の一端はそれぞれ前記第２または第１の切開（８、９）の一部と実質的に一致する、請求項１〜３のいずれか１項に記載の方法。
【請求項５】
前記第２または第１の切開（８、９）の前記一部はそれぞれ前記第２または第１の切開（８、９）の一端となって「Ｌ」字形の切込を形成する、請求項４に記載の方法。
【請求項６】
前記第２または第１の切開（８、９）の前記一部はそれぞれ前記第２または第１の切開（８、９）の中央部となって「Ｔ」字形の切込を形成する、請求項４に記載の方法。
【請求項７】
前記第１の切開（９）の長さは前記第２の切開（８）の長さより短い、請求項１〜６のいずれか１項に記載の方法。
【請求項８】
前記皮膚（１０）は前記第１および／または第２の切開（８、９）が行われる前に伸張され、前記第１および／または第２の切開（８、９）が行われる間前記皮膚（１０）の伸張状態が維持される、請求項１〜７のいずれか１項に記載の方法。
【請求項９】
前記第２の切開（８）は前記家禽の総排出腔（７）から行われる、請求項１〜８のいずれか１項に記載の方法。
【請求項１０】
前記第１の切開および前記第２の切開によって形成された前記開口部を通して前記家禽の内臓の少なくとも一部を取り除くステップをさらに含む、請求項１〜９のいずれか１項に記載の方法。
【請求項１１】
請求項１〜１０のいずれか１項に記載の方法を使って、脚（５、６）がコンベアの吊り下げフックに吊り下げられた屠畜動物である家禽（１）であって前記家禽から総排出腔が取り除かれた後に開口部が形成された家禽（１）を切開する装置であって、
前記家禽の皮膚に対して、実質的に前記家禽の第１の方向に伸び、前記総排出腔（７）の開口部から離れている第１の切開を行うよう設計された第１の切込手段（１８）と、
前記第１の切開につながり、前記第１の切開に対して角度を付けて伸びる第２の切開を前記家禽の皮膚に行うよう設計された第２の切込手段（１６）を備えることを特徴とする、装置。
【請求項１２】
前記家禽の前記皮膚を伸張する伸張手段をさらに備える、請求項１１に記載の装置。
【請求項１３】
前記伸張手段は前記第２の切込手段の近くに設けられる、請求項１２に記載の装置。
【請求項１４】
前記第１の切込手段は回転切込部材（２８）を備える、請求項１１〜１３のいずれか１項に記載の装置。
【請求項１５】
前記第２の切込手段は前記第１の切込手段に対向して位置する、請求項１１〜１４のいずれか１項に記載の装置。
【請求項１６】
請求項１１〜１５のいずれか１項に記載の装置と、脚（５、６）を有する家禽（１）を吊り下げるための吊り下げフックを備えたコンベアとを組み合わせたシステム。
【請求項１７】
前記装置は、スロットを通して上方向に動かすことができ、家禽を吊り下げることができるさらなる吊り下げフック（１３ａ、１３ｂ）を備える、請求項１６に記載のシステム。
【発明の詳細な説明】
【技術分野】
【０００１】
本発明は、脚がコンベアの吊り下げフックに吊り下げられた屠畜動物を切開する方法に関し、具体的には屠畜された鳥の腹部を切開する方法であって、実質的に屠畜動物の第１の方向に伸びる第１の切開を屠畜動物の皮膚に対して行うステップを含む方法に関するが、これに限定されない。
【背景技術】
【０００２】
欧州特許第１０１８８９０号明細書には、屠畜動物の皮膚を切開し、皮下で作業する方法および装置が説明されている。当該方法は、ナイフが設けられた引っ張り部材を使い、総排出腔付近の開口部から胸部の先端まで伸びる切開を行うステップを含む。
【０００３】
蘭国特許第６９１５６６１号明細書には、総排出腔から離れた鳥の腹部の皮膚を横方向に切開する方法が説明されている。いくつかの国では、このような横方向の切開は一部の皮膚が総排出腔と切開との間でそのまま残るように行われる。その後、梱包時に屠畜動物の脚を皮膚下に挿入することができる。
【発明の概要】
【発明が解決しようとする課題】
【０００４】
本発明は、脚がコンベアの吊り下げフックに吊り下げられた屠畜動物を切開する方法であって、切開後に屠畜動物の内臓を比較的簡単に取り除くための改善された方法を提供することを目的とする。
【課題を解決するための手段】
【０００５】
この目的を考慮して、本発明は導入部で説明した種類の方法を提供し、本発明による方法は、第１の切開につながり、第１の切開に対して角度を付けて伸びる第２の切開を屠畜動物の皮膚に行うステップを含むことを特徴とする。
【０００６】
特定の市場において、例えば可能な限り腹部の脂肪を残すため、または販売時の展示のため、屠畜動物の切込は可能な限り小さくすることが望ましい。本発明は、第１の切込に対して角度を付けて伸びる別の切込を入れることで、実際は互いに角度を付けて伸びる２つの別個の切開からなる比較的小さい切込が、切開後に内臓を取り除くのに十分であるという意外な洞察に基づいている。切込が小さいことで確実に腹部の脂肪が残る。また、切込が比較的小さいことで、確実により素早く前述の切開を行うことができる。よって本発明の目的が実現する。
【０００７】
本出願では「第１の切開」という用語を使用する。これは、屠畜動物に対して行う最初の切開である必要はない。屠畜動物の皮膚に事前に切開を行ってもよい。先行技術では、屠畜動物の切開の前に総排出腔をくりぬくために度々家禽に切込等を入れている。本出願では、「総排出腔」という用語は当該内臓だけでなく、当該内臓が例えばくりぬきによって取り除かれた後に動物に残る開口部も指すことに着目されたい。
【０００８】
本発明によれば、互いにつながる２つの切開が行われ、これらの切開はさらに互いに角度を付けて伸び、明確にするため、当然のことながら説明で暗示または明示されない限り、特に序列を付けずに第１および第２の切開と呼ばれる。
【０００９】
本発明の一実施形態によれば、まず第１の切開が行われ、その後第２の切開が行われる。
【００１０】
方法の一実施形態において、第１の切開は屠畜動物の腹部側で実質的に横平面に伸びる。「横平面」という用語は、第２の切開が実質的に屠畜動物の左手側から屠畜動物の右手側（またはその逆）に伸びることを意味すると理解されたい。この点に関して、横平面に対する角度が想定可能である。当該角度は４０°程度に達する角度でよいが、好ましくは３０°以下である。
【００１１】
本発明によれば、第２の切開は第１の切開に対して０°以外の角度を付けて伸びる。方法の一実施形態において、第２の切開は屠畜動物の腹部側で実質的に中央平面に伸びる。よって第２の切開は実質的に、屠畜動物の後端部、すなわち尾に近い部分から屠畜動物のくちばし部に伸びる。第２の切開は中央平面と完全に一致する必要はない。中央平面に対する角度は想定可能で、「実質的に中央平面内」という句が意味する範囲内である。中央平面に対する角度は４０°程度に達する角度でよいが、好ましくは３０°以下である。第２の切開はさらに実質的に腹部側、すなわち屠畜動物の腹部側で伸びる。
【００１２】
一実施形態において、第２の切開は実質的に第１の切開を横切る方向に伸びる。第１の切開と第２の切開との間の角度は、多少異なる角度も想定できるが実質的に９０°である。よって当該角度は８０°から１００°の範囲であることが好ましい。他の実施形態では、これより大きいまたは小さい角度も想定可能である。しかし、当該角度は４５°より大きく、１３５°より小さいことが好ましい。
【００１３】
一実施形態において、第１の切開の一端は実質的に第２の切開の一部と一致する。この場合、第２の切開の当該一部に第１の切開の終端がある。よって、第２の切開の一端は実質的に第１の切開の一部と一致してもよい。
【００１４】
一実施形態において、この場合、第１または第２の切開の一端は第１または第２の切開の他方の一端と一致して実質的に「Ｌ」字形の切込を形成することが想定できる。「Ｌ」のベース部分は当然「Ｌ」の脚部に対して９０°以外の角度を付けて伸びてもよい。
【００１５】
別の実施形態によれば、第１または第２の切開の一端は第１または第２の切開の他方の中央部と一致して実質的に「Ｔ」字形の切込を形成する。この場合も、「Ｔ」の上部分は「Ｔ」の縦延伸部分に対して角度を付けて伸びてもよい。さらに、「Ｔ」の２つの部分の長さは自由に選択してよく、すなわち、切込は「Ｔ」の字として一般的な寸法である必要はない。
【００１６】
一実施形態において、好ましい実施形態で行われる第１の切開の長さは第２の切開の長さより短い。したがって、好ましい実施形態において、第２の切開はさらなる作業に適した切開を与える目的で行われ、実質的に第２の切開より小さい第１の切開は屠畜動物の皮膚の張りを減少させるよう機能する。好ましくは第２の切開の長さは第１の切開の長さの５０％未満であるが、他の比率も想定可能である。
【００１７】
方法の一実施形態において、第１および／または第２の切開は実質的に直線状に伸びる。
【００１８】
方法の一実施形態において、皮膚は第１および／または第２の切開が行われる前に伸張される。方法の一実施形態において、皮膚は第１の切開が行われる前に伸張され、第２の切開が行われる間皮膚の伸張状態が維持される。よって一実施形態によれば、第１の切開および／または第２の切開が行われる間皮膚の伸張状態が維持される。
【００１９】
方法の一実施形態において、屠畜動物はニワトリ等の家禽を含み、第２の切開は家禽の総排出腔から行われる。
【００２０】
ニワトリ等の家禽の場合、家禽の総排出腔が取り除かれた後に第１および／または第２の切開が行われることが好ましい。
【００２１】
別の実施形態において、第１の切開は総排出腔から離れている。
【００２２】
本発明の一実施態様によれば、脚がコンベアの吊り下げフックに吊り下げられた屠畜動物、具体的には家禽の内臓の少なくとも一部を取り除く方法が提供され、当該方法は、屠畜動物の腹部側で実質的に横平面に伸びる切開を屠畜動物の皮膚に対して行うステップと、切開を通して屠畜動物の内臓の少なくとも一部を取り除くステップとを含む。当該方法は、内臓を取り除く前に、第１の切開につながり、第１の切開に対して角度を付けて伸びる切開を屠畜動物の皮膚に行うステップを含むことを特徴とする。よって、屠畜動物の皮膚に比較的小さい切込を入れることが可能となり、当該切込はその後屠畜動物から内臓を取り除くのに好適であるので、当該切込から好適に内臓を取り除くことができる。よって本発明の目的が実現する。
【００２３】
この方法の有用な実施形態は、屠畜動物を切開する方法を参照してすでに説明した。屠畜動物の切開の好ましい実施形態が屠畜動物の内臓の一部を取り除く方法に使用できることを当業者は理解されるであろう。この点に関して、切開が前述の方法の第１または第２の切開に当たること、および切開が第１または第２の切開の他方に当たることは特に想定可能である。好ましい実施形態において、切開は前述の通り第１の切開に当たり、切開は行われる第１の切開であり、切開は第２の切開に当たり、この切開は切開の後に行われる。
【００２４】
すでに述べたように、本発明による方法はニワトリ等の家禽に使用可能である。この点に関して、当該方法はすでに総排出腔が取り除かれた家禽に対して行われるのが好ましい。すでに述べたように、この場合「総排出腔」という用語は内臓としての総排出腔を取り除くことで形成される開口部を示す。
【００２５】
本発明の一実施態様によれば、脚がコンベアの吊り下げフックに吊り下げられた屠畜動物を切開する装置を提供する。当該装置は、屠畜動物の皮膚に対して第１の切開を行う第１の切込手段を備える。この切込手段は第１の切開が実質的に屠畜動物の第１の方向に行われ得るよう設計される。本発明によれば、当該装置は、第１の切開につながり、第１の切開に対して角度を付けて伸びる第２の切開を屠畜動物の皮膚に行うよう設計された第２の切込手段を備える。前述の装置を使えば、本発明による方法を実行することができる。したがって、方法の利点は当該装置を使って実現することもできる。利点についての説明は繰り返さない。
【００２６】
当該装置の別の利点は、望ましい切込を多数入れられることである。第１の切込手段および第２の切込手段を使用すると基本的にあらゆる切込を入れることが可能となり、その切込のいくつかは１台の装置を使う先行技術で既知のものである。このため、本発明による装置は非常に柔軟に使用され得る。
【００２７】
装置の一実施形態において、装置は屠畜動物の皮膚を伸張する伸張手段を備える。伸張手段は、切込が行われる際に下にある組織に傷が付くのを防ぐ。伸張手段は、第１および第２の切込手段による切込が行われる場所で皮膚を伸張するよう設計されることが好ましい。
【００２８】
一実施形態において、伸張手段は第２の切込手段の近くに設けられる。本実施形態を使うと、例えば第１の切込手段用に皮膚を伸張するのが容易になり、その後、第２の切込手段用にも皮膚の伸張が続く。よって、伸張部材は１つで十分である。
【００２９】
別の実施形態において、第２の切込手段はナイフ部材を備える。ナイフ部材は切刃等であってよく、切込方向に実質的に平行に移動することで屠畜動物の皮膚に切込を入れる。
【００３０】
別の実施形態において、第１の切込手段は回転円板を備える。回転円板を使うと切開を適切に調整することができる。装置は、そのために回転円板を回転させる好適な駆動手段を備える。
【００３１】
装置は、第１の切込手段が第１の切開を行い、その後第２の切込手段が第２の切開を行うよう設計されることが好ましい。
【００３２】
本発明の別の実施態様によれば、胴体と胴体につながる少なくとも２本の脚を備え、具体的には家禽である肉製品が提供され、胴体は少なくとも部分的に皮膚に覆われ、肉製品には肉製品の腹部側で実質的に横平面に伸び、肉製品の皮膚に対して行われる第１の切開が設けられる。かかる肉製品は例えば、肉製品、具体的には家禽の脚を例えばゆるめた皮膚下に入れるのに使われる。本発明の本実施態様によれば、肉製品は、第１の切開につながり、第１の切開に対して角度を付けて伸び、屠畜動物の腹部側で実質的に中央平面に伸びる肉製品の皮膚に対して行われる第２の切開が設けられる。
【００３３】
一実施形態において、少なくとも１本の脚の端、または各脚の端は第１および第２の切開を通して胴体の内部の少なくとも一部に挿入される。
【００３４】
一実施形態において、肉製品は家禽である。一実施形態において、第１および第２の切開は家禽の総排出腔から完全に離れている。かかる実施形態は皮膚のひだの下への脚の挿入に関して理想的である。
【図面の簡単な説明】
【００３５】
以下、添付の図面を参照して本発明をより詳細に説明するが、本発明の好ましい実施形態のいくつかを示す。
【００３６】
【図１ａ】屠畜動物の切開の先行技術による実施形態を示す。
【図１ｂ】屠畜動物の切開の先行技術による実施形態を示す。
【図２ａ】屠畜動物の横方向切開の別の先行技術による実施形態を示す。
【図２ｂ】屠畜動物の横方向切開の別の先行技術による実施形態を示す。
【図３ａ】本発明による肉製品の第１の実施形態を示す。
【図３ｂ】本発明による肉製品の第１の実施形態を示す。
【図４ａ】本発明による肉製品の第２の実施形態を示す。
【図４ｂ】本発明による肉製品の第２の実施形態を示す。
【図５ａ】本発明による肉製品を得るための装置を示す。
【図５ｂ】本発明による肉製品を得るための装置において、脚がコンベアの吊り下げフックに吊り下げられた屠畜動物を示す。
【図６ａ】本発明による装置を使用した本発明による方法の各ステップを示す一部断面側面図である。
【図６ｂ】本発明による装置を使用した本発明による方法の各ステップを示す一部断面側面図である。
【図６ｃ】本発明による装置を使用した本発明による方法の各ステップを示す一部断面側面図である。
【図６ｄ】本発明による装置を使用した本発明による方法の各ステップを示す一部断面側面図である。
【図６ｅ】本発明による装置を使用した本発明による方法の各ステップを示す一部断面側面図である。
【図６ｆ】本発明による装置を使用した本発明による方法の各ステップを示す一部断面側面図である。
【図７ａ】本発明による方法の一ステップの詳細を示す。
【図７ｂ】本発明による方法の一ステップの詳細を示す。
【図８ａ】本発明による肉製品の第３の実施形態を示す。
【図８ｂ】本発明による肉製品の第３の実施形態を示す。
【図９ａ】第１のステップにおける肉製品の第４の実施形態を示す。
【図９ｂ】第１のステップにおける肉製品の第４の実施形態を示す。
【図１０ａ】本発明の第４の実施形態による肉製品を示す。
【図１０ｂ】本発明の第４の実施形態による肉製品を示す。
【図１１ａ】本発明による方法の各ステップをより詳細に示す図である。
【図１１ｂ】本発明による方法の各ステップをより詳細に示す図である。
【図１１ｃ】本発明による方法の各ステップをより詳細に示す図である。
【図１１ｄ】本発明による方法の各ステップをより詳細に示す図である。
【図１２】本発明による肉製品の第５の実施形態を示す。
【発明を実施するための形態】
【００３７】
図１ａ、図１ｂ、図２ａ、および図２ｂは先行技術による家禽の切開を示す。
【００３８】
図１ａは屠畜動物１、ここでは家禽を示し、具体的には、尾部４を有し、２本の脚５、６がつながる胴体３を備えるニワトリ１を示す。家禽は、ここではすでに取り除かれている総排出腔７を備え、以下、総排出腔を取り除くことで形成される開口部も総排出腔７と呼ぶ。よって図１ａは家禽の腹部側３から見た図である。この先行技術によれば、ニワトリ１の腹部側において切開８が行われる。切開はニワトリ１の総排出腔７から胸部へ伸びる。図１ｂは図１ａの斜視図である。同様の構成要素は同じ参照符号で表す。これは、以下で言及するすべての図に適用する。すなわち、各構成要素には互いに若干の違いがあることが考えられるが、同様の構成要素は一様に同じ参照符号で表す。
【００３９】
図２ａは、先行技術の別の実施形態による家禽１の腹部側の図であり、横平面における切開、すなわち家禽１の左手側から右手側に伸びる切開が行われている。かかる切開は、例えば家禽１の脚５、６を皮膚のひだの下で切開内に入れるために使われる。
【００４０】
前述の先行技術による切開は比較的大きな切り口を残す。さらに腹部の脂肪を失う可能性があり、これが望ましくない市場もある。
【００４１】
図３ａおよび図３ｂは本発明の第１の実施形態を示す。これらの図は、本発明による方法を使った屠畜動物１、ここでは例えばニワトリ等の家禽１を示す。本発明の方法によれば、屠畜動物の第１の方向に第１の切開９が行われた後、第１の切開９につながり、第１の切開に対して角度を付けて伸びる第２の切開８が屠畜動物の皮膚に行われる。図３ａは、実質的に第２の切開８を横切る方向に第１の切開９が伸びる実施形態を示す。この図はさらに、第１の切開９の中央部に第２の切開の終端があることを示す。第２の切開は実質的に第１の切開９を横切る方向に延びるため、家禽１にはＴ字形の切り口がある。かかる切り口は、家禽１から内臓を取り除くのに非常に好適である。本実施形態において、第２の切開８が家禽１の総排出腔７に至るまで完全に伸びてはいないことに留意されたい。本発明による方法を使えば、内臓を取り除くのが容易になる。
【００４２】
図４ａおよび図４ｂはそれぞれ、本発明の第２の実施形態による家禽の腹部側の図および斜視図である。本実施形態は、第２の切開８が総排出腔７に至るまで完全に伸びているという点で図３ａおよび図３ｂに示す第１の実施形態とは異なる。この場合、次のステップにおいて内臓を取り除くのがさらに容易になる。さらに、脂肪を得る効率が高い。
【００４３】
図５ａは、本発明による、脚がコンベアの吊り下げフックに吊り下げられた屠畜動物を切開する方法を使うための装置１１の側面図である。装置１１は、コンベア（図示せず）の一部を形成するフレーム１２を備える。このようなフレームを備えるコンベアは、基本的に当業者に知られたものであり、本明細書でより詳細には説明しない。装置１１はさらに、家禽１の吊り下げが可能な２つの吊り下げフック１３ａ、１３ｂを備える（図５ｂ参照）。吊り下げフック１３ａ、１３ｂはスロット１４を通して上方向に端まで動かされる。図５ａに明確に示す通り、装置１１は、第１の切込部材２８が設けられた第１の切込手段１８を備える。そこから離れたところに第２の切込手段１６が設けられる。当該切込手段は伸張部材１７の上方に位置する。以下、装置１１をより詳細に説明する。
【００４４】
図６ａ〜６ｆを参照し、前述の装置１１と組み合わせて使用する本発明による方法をより詳細に説明する。図６ａは本発明による実施形態の第１のステップを示す。第１のステップでは、伸張部材１７が家禽の総排出腔に挿入され、図６ｂに明確に示す通り皮膚の下で動かされる。ここでは第２の切込手段１６はまだ家禽１から離れているので、皮膚への切込はまだ行われていない。伸張部材１７はさらに動かされ（図６ｃ参照）、家禽１の皮膚が伸張するよう設計される。第１の切込手段は、伸張した皮膚の付近に実質的に動かされる。
【００４５】
図６ｄは、回転ナイフ等の第１の切込部材２８が設けられた第１の切込手段１８が、皮膚に対して切開を行うよう家禽１に向かって横方向に動かされる様子を示す。切開は家禽１の腹部側３に行われる。切開は伸張部材１７と家禽１のくちばし部との間で行われる。第１の切開が行われた後、第１の切込部材が設けられた第１の切込手段１８は家禽１から離れて元の位置に動かされ、その後第２の切込手段１６が作動されて家禽１に対して第２の切開が行われる。図に示すように、伸張手段は皮膚の伸張を続けるので、第２の切開が行われる間も皮膚は伸張されている。この点に関して、第１の切開は中央平面に対して実質的に横切る方向に伸び、第２の切開は中央平面に実質的に平行に設けられることに着目されたい。図６ｅに示す実施形態では、２つの切開は実質的に互いに垂直に設けられる。最後に、図６ｆは第２の切込手段１６の最後の動きを示し、ここで第２の切開が総排出腔まで完全に行われる。
【００４６】
本発明が中央平面または横平面いっぱいに伸びる切開に限定されないことを当業者は理解されるであろう。原則として、切開は、０°以外、好ましくは少なくとも３０°の角度を互いに付けて設けられれば、いかなる方向に伸びてもよい。図７ａは、引っ張り部材を皮膚の下で前後に動かし、第２の切開を行う際に望ましい角度位置をできる限り維持することで、第２の切開の角度方向を得る方法を示す。
【００４７】
図８ａは方法により得た家禽１の第３の実施形態を示す。家禽１の胸側に比較的小さい第１の切開９が行われ、第２の切開８がその比較的小さい第１の切開９から総排出腔７へ伸びる。第１の切開９は第２の切開よりかなり小さい。第１の切開は、一実施形態では第２の切開８の長さの半分より短く、ここで示す実施形態では５分の１より短く、一実施形態では１０分の１より短い。
【００４８】
図９ａおよび図９ｂはそれぞれ、方法の第１のステップで得られる本発明の第４の実施形態による家禽の腹部側の図および斜視図である。当該第１のステップによれば、ここでは、ひだ１の総排出腔から胸側へ伸びる第１の切開がまず行われ、第１の切開９は中央平面いっぱいに伸びるのではなく、中央平面に対して角度を付けて伸びる。この点に関して、角度は比較的小さいため、やはり第１の切開は主に中央平面に伸びることに着目されたい。角度は、図７ａおよび図７ｂを参照に先に説明した方法で得られる。
【００４９】
図１０ａおよび図１０ｂはそれぞれ、方法により得られた製品の第４の実施形態の腹部側の図および斜視図であり、第１の切開９に対して角度を付けて伸びる第２の切開も設けられている。第２の切開８は、実質的にＬ字形の切開８、９が得られるよう行われる。
【００５０】
図１１ａ〜１１ｄは本発明による方法の各ステップをより詳細に示す図である。図１１ａは、図示しない方法で脚がコンベアの吊り下げフックに吊り下げられた家禽１を示す。伸張部材１７は家禽１の総排出腔を通して挿入される。装置１１の第２の切込手段１６は伸張部材１７の上方に位置したままなので、第２の切込手段のナイフ２６は家禽１の皮膚１０から離れている。図１１ｂは、方法の、第２の切込手段の円形切込部材２８が皮膚５、１０に向かって移動し、皮膚に切込を入れる第１のステップを示す。図１１ｃは、回転切込手段２８が再び家禽から離れた様子を示す。伸張部材１７が実質的にさらに少し動くので、ナイフ２６は下方への移動の際に第１の切開の端に触れる。皮膚１０に実質的に切込が入れられると（図１１ｄ参照）、これにより実質的にＴ字形の切込が得られる。
【００５１】
最後に図１２は、第５の実施形態、具体的には家禽１の脚５、６を方法により得られた皮膚のひだ９を通して胴体内部へ挿入して、視覚的に良く見える家禽１を得る実施形態を示す。消費者により良く見せることで製品の価値を高めるため、ニワトリを実際に梱包する前に脚５、６をこのように位置させる国もある。
【００５２】
前述の事項において、本発明をいくつかの予測される好ましい実施形態を参照して説明したことを当業者は理解されるであろう。しかし本発明はこれらの実施形態に限定されない。本発明の枠組み内で多くの変形例が考えられる。請求される保護については従属請求項に記述される。
【図１ａ】
0006502353.tif 000002
【図１ｂ】
0006502353.tif 000003
【図２ａ】
0006502353.tif 000004
【図２ｂ】
0006502353.tif 000005
【図３ａ】
0006502353.tif 000006
【図３ｂ】
0006502353.tif 000007
【図４ａ】
0006502353.tif 000008
【図４ｂ】
0006502353.tif 000009
【図５ａ】
0006502353.tif 000010
【図５ｂ】
0006502353.tif 000011
【図６ａ】
0006502353.tif 000012
【図６ｂ】
0006502353.tif 000013
【図６ｃ】
0006502353.tif 000014
【図６ｄ−６ｅ】
0006502353.tif 000015
【図６ｆ】
0006502353.tif 000016
【図７ａ】
0006502353.tif 000017
【図７ｂ】
0006502353.tif 000018
【図８ａ】
0006502353.tif 000019
【図８ｂ】
0006502353.tif 000020
【図９ａ】
0006502353.tif 000021
【図９ｂ】
0006502353.tif 000022
【図１０ａ】
0006502353.tif 000023
【図１０ｂ】
0006502353.tif 000024
【図１１ａ】
0006502353.tif 000025
【図１１ｂ】
0006502353.tif 000026
【図１１ｃ】
0006502353.tif 000027
【図１１ｄ】
0006502353.tif 000028
【図１２】
0006502353.tif 000029